(57)【要約】【課題】カウンタの面積を大きくしても洗い場が狭くならない浴室構造を提供する。【解決手段】浴室備品等を載置する載置部１０を有するカウンタ１を浴室の壁２に固定してなる浴室構造において、浴室の壁２に所定の面積を有する開口３を設け、カウンタ１の載置部１０の一部が開口３から壁２の奥側に入り、カウンタ１が開口３を覆うようになし、載置部１０の上面を下方の壁面とする上方室Ｕと、載置部１０の下面を上方の壁面とする下方室Ｄを有し、かつ、両室の開口部が逆方向となり、しかも、両室の開口縁には、外方に鍔状に突出する取付部１２を連設してなるものである。【選択図】  図１
2004232190.tif 000002
【特許請求の範囲】
【請求項１】
浴室備品等を載置する載置部を有するカウンタを浴室の壁に固定してなる浴室構造において、浴室の壁に所定の面積を有する開口を設け、前記カウンタの載置部の一部が開口から壁の奥側に入り、前記カウンタが前記開口を覆うようになしたことを特徴とする浴室構造。
【請求項２】
前記カウンタは、縦方向の略中間付近に載置部を位置させてこれを基準にし、載置部の上面を下方の壁面とする上方室と、載置部の下面を上方の壁面とする下方室を有し、かつ、両室の開口部が逆方向となり、しかも、両室の開口縁には、外方に鍔状に突出する取付部を連設してなるものであることを特徴とする請求項１記載の浴室構造。
【請求項３】
前記カウンタは、載置部の端部から側面視において下方に延びる前垂れ部を連設するとともに、平面視において前垂れ部の先端より突出する水受け部材を設けたことを特徴とする請求項１記載の浴室構造。
【請求項４】
前記前垂れ部は、その先端が、平面視において最大突出部分より内部に位置していることを特徴とする請求項３記載の浴室構造。
【請求項５】
前記前垂れ部の最大突出部より平面視において先端に位置するの部分を別体になしたこと特徴とする請求項４記載の浴室構造。
【発明の詳細な説明】
【０００１】
【発明の属する技術分野】
本発明は、浴室の洗い場側の壁面にカウンタを設けてなる浴室構造に関するものである。
【０００２】
【従来の技術】
一般的な浴室構造としては、図１２（側面の断面図）に示すようなものが知られている。図１３は図１２のカウンタの正面図、図１４は図１２のカウンタの上面図である。この浴室構造は、カウンタ１と、第１の支持具１０３と、第２の支持具１０４と、カバー１０２を備えている。
【０００３】
カウンタ１は、浴室備品等を載置する載置部１０と、載置部１０の前端部分に前垂れ部１３と、を有し、載置部１０の下方に結合部２４を設けている。第１の支持具１０３は、所要の孔を設けた長水平片と短水平片と垂直片により大略Ｌ字状をなしており、垂直片がビス等の固定具２３により壁２に固定されている。第２の支持具１０４は、後述するカバー１０２を取付けるものであり、側面視において所要の孔を設けた対向片と連結片により大略コ字状をなしている。カバー１０２は、第１の支持具１０３及び第２の支持具１０４を覆い隠すものであり、第２の支持具１０４の一方の対向片にビス等の固定具２３により取付けられ、さらに、第１の支持具１０３の短水平片に、ビス等の固定具２３により取付けられる。また、カウンタ１は、その結合部２４と長水平片の孔を重合するよう第１の支持具１０３の長水平片に載置した状態で、かつ、壁２から離れる側は第２の支持具１０４の他方の対向片を重合させてビス等の固定具２３により取付けられる。
【０００４】
この場合、例えば、カウンタ１は、石鹸、シャンプー、洗面器等の浴室の備品等を置いて使用される。また、カウンタ１の上方の壁面に給水栓がある場合は、洗面器に給水栓より給水することができる。
【０００５】
また、他の浴室構造として特開２００２−１４３０２１号公報に記載されるものがある。この浴室構造を図１５に示す。このものは、壁２、図示しない床パン、天井で浴室を構成し、床パンに浴槽を載置する防水パン式ユニットバスであり、洗い場側の壁２に上段カウンタ１１１、下段カウンタ１１３を設け、上段カウンタ１１１と下段カウンタ１１３の間に配管パネル１１２が取付けられ、その配管パネル１１２の前面に給水栓を設けたものである。このものは、上段カウンタ１１１が、例えば、座って身体を洗っている状態の入浴者の目線付近に位置するところに設けてある。そして、上段カウンタ１１１に浴室の備品等を置き、下段カウンタ１１３に洗面器を置いて使用される。
【０００６】
【特許文献１】
特開２００２−１４３０２１号公報
【０００７】
【発明が解決しようとする課題】
図１２で示した従来技術では、例えば、洗髪用として直径の大きい洗面器も使えるようにしたいという要求に対応するべく、カウンタ１の載置部１０の面積を大きくすると、洗い場の面積がその分小さくなり、また、浴室のドアの開閉がスムーズに行えるためにも、載置部１０の面積を大きくすることには制約がある。
【０００８】
さらに、カウンタ１の載置部１０で使用された水は、前垂れ部１３より水が下方に落ちるため、カウンタ１の前方にいるとその水がかかりやすくなる。
【０００９】
また、特開２００２−１４３０２１号公報に示す従来技術では、上段カウンタ１１１と下段カウンタ１１３との２つのカウンタがあるので全体としての載置部１０の面積は大きくなるが、上段カウンタ１１１の載置部１０に浴室の備品等を置き、下段カウンタ１１３の載置部１０に洗面器を置いて使用されるため大きな洗面器を使用したい場合は、やはり、下段カウンタ１１３の載置部１０の面積を大きくしなければならないので、上記従来技術と同様の問題点がある。
【００１０】
さらに、上段カウンタ１１１が座って身体を洗っている状態にある入浴者の目線の高さにあるため、入浴者が圧迫感を受ける場合がある。
【００１１】
本発明は、かかる事由に鑑みてなしたものであり、その目的とするところは、カウンタの面積を大きくしても洗い場が狭くならない浴室構造を提供することにある。
【００１２】
【課題を解決するための手段】
上記問題点を解決するため、請求項１記載の発明にあっては、浴室備品等を載置する載置部を有するカウンタを浴室の壁に固定してなる浴室構造において、浴室の壁に所定の面積を有する開口を設け、前記カウンタの載置部の一部が開口から壁の奥側に入り、前記カウンタが開口を覆うようになしたものである。
【００１３】
請求項２記載の発明にあっては、前記カウンタは、縦方向の略中間付近に載置部を位置させてこれを基準にし、載置部の上面を下方の壁面とする上方室と、載置部の下面を上方の壁面とする下方室を有し、かつ、両室の開口部が逆方向となり、しかも、両室の開口縁には、外方に鍔状に突出する取付部を連設してなるものである。
【００１４】
請求項３記載の発明にあっては、特に、前記カウンタは、載置部の端部から側面視において下方に延びる前垂れ部を連設するとともに、平面視において前垂れ部の先端より突出する水受け部材を設置するようになしたものである。
【００１５】
請求項４記載の発明にあっては、特に、前記前垂れ部は、その先端が、平面視において最大突出部分より内部に位置するようになしたものである。
【００１６】
請求項５記載の発明にあっては、特に、前記前垂れ部の最大突出部より平面視において先端に位置するの部分を別体になしたものである。
【００１７】
【発明の実施の形態】
（第１の実施形態）
第１の実施形態の浴室構造を、図１乃至図４に基づいて説明する。図１は側面の断面図、図２は図１の上面図、図３は図１の正面図である。
【００１８】
この浴室構造は、浴室備品等を載置する載置部１０を有するカウンタ１を浴室の壁２に固定してなる浴室構造において、浴室の壁２に所定の面積を有する開口３を設け、カウンタ１の載置部１０の一部が開口３から壁２の奥側に入り、カウンタ１が開口３を覆うようになしたものである。
【００１９】
さらに、カウンタ１は、縦方向の略中間付近に載置部１０を位置させてこれを基準にし、載置部１０の上面を下方の壁面とする上方室Ｕと、載置部１０の下面を上方の壁面とする下方室Ｄを有し、かつ、両室の開口部が逆方向となり、しかも、両室の開口縁には、外方に鍔状に突出する取付部１２を連設してなるものである。
【００２０】
以下に、この浴室構造について、より詳細に説明する。
【００２１】
カウンタ１は、浴室備品等を載置する載置部１０を略中央に位置させて以下の形状を有する。すなわち、縦方向の略中間付近に載置部１０を位置させてこれを基準にし、載置部１０の上面を下方の壁面とする上方室Ｕと、載置部１０の下面を上方の壁面とする下方室Ｄを有し、かつ、両室Ｕ、Ｄの開口部が逆方向となる形状を有する。そして、両室Ｕ、Ｄの開口縁には、外方に鍔状に突出する取付部１２を連設している。この取付部１２は、全体的にはロ字状であり、全体が浴室の壁２に接するよう同一平面内に位置する。そして、所定間隔毎に、ねじ通し孔を設けている。カウンタ１は、例えば、人造大理石にて型造する。
【００２２】
上方室Ｕは、その載置部１０が取付部１２から所定量（例えば、１５ｃｍ程度）入り込んで底壁部１４と側壁部１１につながり、また、取付部１２から所定量（例えば、３０ｃｍ程度）出張った形状となる。この載置部１０の出張った端部は、平面視において緩やかな曲面をもたせている。さらに、載置部１０と、載置部１０に対向する上方の側壁部１１と、底壁部１４と、は、側面視において大略コ字状をなしている。この上方室Ｕは、後述する浴室の壁２に設けた開口３に挿入するものである。
【００２３】
下方室Ｄは、側面視において、上方の壁面となる載置部１０の出張った端部からつながって外表面となる部分が曲面状を経て垂直部分を有する前垂れ部１３（上方室Ｕにおける底壁部１４に対応）と、前垂れ部１３と取付部１２をつなぐカバー壁部１５と、を有する。
【００２４】
浴室の壁２は、カウンタ１を設ける位置に、所定の面積、具体的には、カウンタ１の上方室Ｕの取付部１２を除く部分が挿入し得る大きさの開口３を設けている。
【００２５】
次に、カウンタ１の浴室の壁２への取付けについて説明する。取付けに際しては、防水パッキン２０とビス等の固定具２３を用意する。この防水パッキン２０は、例えば、ブチルゴムのようなゴム系のもので、カウンタ１の取付部１２に対応したロ字状に形成されている。カウンタ１は、その取付部１２に防水パッキン２０を重ねた状態で、上方室Ｕを浴室の壁２の開口３に挿入する。そして、図４（ａ）（ｂ）に示すように、取付部１２のねじ通し孔にビス等の固定具２３を通し、ビス等の固定具２３を浴室の壁２にねじ込み固定する。この場合、載置部１０の水が前方に流れやすいように、手前にくるにしたがって僅かに載置部１０が下方へ傾斜するようにする。２２はねじカバーで、ビス等の頭部を覆うべく、弾性結合が可能なよう樹脂等により形成する。なお、美観の面をそれほど気にしない場合は省略してもよい。
【００２６】
これにより、カウンタ１の載置部１０の一部が開口３から壁２の奥側に入り、カウンタ１が開口３を覆うこととなる。
【００２７】
この浴室構造によれば、上方室Ｕを構成するカウンタ１の載置部１０の一部と上方室Ｕから突出した部分に浴室備品等を置くことができる。
【００２８】
したがって、カウンタ１０の一部が、壁２の中に入っているため、その載置部１０の奥行寸法が従来のものと同じにした場合、壁２からカウンタ１０の前垂れ部１３までの出代が小さくなるので洗い場が広くなる。また、壁２からカウンタ１０の前垂れ部１３までの出代を従来のものと同じにした場合、載置部１０の奥行寸法が従来のものより大きくすることができる。
【００２９】
さらに、開口３内部の空間が大略コ字状になっているので、浴室備品等が奥まで載置できる。
【００３０】
さらに、カウンタ１をロ字状の取付部１２で壁２に固定しているので、カウンタ１がより安定して固定できる。
【００３１】
さらに、カウンタ１と壁２の間は、防水パッキン２０を介在させているので、そこで水の浸入が止められて開口部３から水の壁２の奥への浸入をより確実に防止できる。
【００３２】
なお、カウンタ１は、一体に型造するものを説明したが、適宜分割形成した後結合させるようにしてもよい。また、入り込み量や出張っり量の数値は例示であり、適宜に設定すればよい。さらに、ビス等の固定具２３による固定は、接着剤や釘等による固定に替えてもよい。
【００３３】
（第２の実施形態）
第２の実施形態の浴室構造を、図５乃至図７に基づいて説明する。図５は側面の断面図、図６は図５の上面図、図７は図５の正面図である。このものは、第１の実施形態とは、カウンタの形状が異なり、部材を追加することにより、その作用効果に加え、新たな作用効果を奏するようにしている。
【００３４】
カウンタ１は、浴室備品等を載置する載置部１０を略中央に位置させて以下の形状を有する。すなわち、縦方向の中間よりやや下方付近に載置部１０を位置させてこれを基準にし、載置部１０の上面を下方の壁面とする先の第１の実施形態と同様の上方室Ｕを設け、載置部１０の出張った端部は、平面視において緩やかな曲面をもたせている。そして、この出張った曲面の端部からつながる外表面となる部分が大略曲面形状を有する前垂れ部１３を設けている。そして、上方室Ｕの開口縁に、外方に鍔状に突出する取付部１２を連設している。この取付部１２は、全体的にはコ字状であり、全体が浴室の壁２に接するよう同一平面内に位置する。そして、所定間隔毎に、ねじ通し孔を設けている。また、載置部１０の下方に結合部２４を設けている。すなわち、このカウンタ１は、先の第１の実施形態における下方室は実質的には存在しないのである。
【００３５】
１６は水受け補助部材であり、前垂れ部１３とは別体に設けて前垂れ部１３に連結する。すなわち、水受け補助部材１６は、例えば、ポリカーボネート樹脂のような樹脂により、前垂れ部１３の横幅と同様の横幅を有し、大略曲面形状の延長上にあるように、かつ、段を有して湾曲した板状をなし、ねじ通し孔を有して型造される。
【００３６】
３１は第１の支持具であり、例えば、ステンレス鋼のような金属板材をプレス加工により、所要の孔を設けた長水平片と短水平片と垂直片により大略Ｌ字状に形成する。
【００３７】
３２は第２の支持具であり、水受け補助部材１６及び後述する水受け部材４を取付けるとともに、前垂れ部１３、水受け補助部材１６を伝って流れてくる水を通過させるものであり、例えば、ステンレス鋼のような金属板材をプレス加工により、前垂れ部１３の横幅と同様の横幅を有し、短対向片と長対向片これらを連結し所定の孔を設けた連結片により大略コ字状に形成する。また、長対向片には、水が通過するための切欠部を適宜個数設けている。さらに、短対向片及び長対向片の先端から第２の結合部２５、２５を連設している。
【００３８】
４は水受け部材であり、例えば、ポリカーボネート樹脂のような樹脂により、前垂れ部１３の横幅と同様の横幅を有し、緩やかに湾曲した板状をなすよう型造する。また、第１の支持具３１と第２の支持具３２に取付けるためのねじ通し孔を適宜個数設ける。さらに、奥行方向の端部でかつ横幅方向の端部近傍に、排水溝３３を設けている。水受け部材４の緩やかに湾曲した板状とは、所定個所に取付けたとき、水が排水溝３３に導かれるよう排水溝３３が縦方向における最下方に位置するようにしたものである。
【００３９】
これら水受け補助部材１６、第１の支持具３１、第２の支持具３２、水受け部材４は、以下に説明するように、取付けあるいは固定することにより特有の関係を有する。取付けあるいは固定に際しては、防水パッキン２０とビス等の固定具２３を用意する。この防水パッキン２０は、例えば、ブチルゴムのようなゴム系のもので、カウンタ１の取付部１２に対応したコ字状に形成されている。
【００４０】
まず、第１の支持具３１の垂直片を、ビス等の固定具２３により壁２に固定する。次に、カウンタ１を、その取付部１２に防水パッキン２０を重ねた状態で、上方室Ｕを浴室の壁２の開口３に挿入する。そして、取付部１２のねじ通し孔にビス等の固定具２３を通し、これを浴室の壁２にねじ込み固定する。この場合、載置部１０の水が前方に流れやすいように、手前にくるにしたがって載置部１０が僅かに下方へ傾斜するようにする。なお、第１の実施形態で説明したビス等の頭部を覆うねじカバーを設けても良い。
【００４１】
この状態では、カウンタ１の結合部２４は、第１の支持具３１の長水平片の孔に重合してそれに載置された状態になっている。そこで、壁２から離れる側は第２の支持具３２の連結片を重合させ、第１の支持具３１にカウンタ１と第２の支持具３２をビス等の固定具２３により取付ける。
【００４２】
次に、水受け補助部材１６を、その段がカウンタ１の前垂れ部１３の裏面に接するように、第２の支持具３２の手前側の第２の結合部２５に、ビス等の固定具２３により取付ける。
【００４３】
そして、水受け部材４を、第１の支持具３１の短水平片と第２の支持具３２の奥側の第２の結合部２５に、ビス等の固定具２３により取付ける。
【００４４】
その結果、水受け補助部材１６の先端が、平面視において前垂れ部１３の最大突出部分より内部に位置するのである。そして、水受け部材４は、平面視において、水受け補助部材１６の先端より前方側に突出しているのである。この場合、水受け部材４と水受け補助部材１６とは、一部が、例えば、１ｃｍ程度の隙間をもって重なっているのである。
【００４５】
この浴室構造によれば、載置部１０上にある水の多くは、前垂れ部１３及び水受け補助部材１６の表面を伝わって、水受け部材４に流れる。なお、載置部１０上にある水が多かったり、勢いをつけて流すような場合、水受け部材４に流れる量は少なくなるが、そのような場合には、水受け部材４の先端部の位置を、平面視における前垂れ部１３の最大突出部分より突出させるとよい。また、この場合、水受け部材４の先端部に保護部材を設けることが好ましい。
【００４６】
なお、水受け補助部材１６は、前垂れ部１３を延長してその機能を持たせるようにすれば、すなわち、前垂れ部１３に一体的に形成したものとしてもよい。また、カウンタ１の下方部分は、別途カバーを取付けるようにして支持部材３１、３２等の部材を隠すようにしてもよい。
【００４７】
なお、このものにあっても、入り込み量や出張っり量の数値は例示であり、適宜に設定すればよい。さらに、ビス等の固定具２３による固定は、接着剤や釘等による固定に替えてもよい。
【００４８】
ところで、図８に示す２段カウンタを有した浴室構造を案出した。図８は正面図、図９は図８のＡ―Ａの断面図、図１０は図８のＢ―Ｂの断面図、図１１は化粧カバー４３とカバー取付具４４の分解斜視図である。
【００４９】
以下に、この浴室構造について詳細に説明する。
【００５０】
上段カウンタ４１は、上面に浴室備品等を載置する載置部１０と、載置部１０の前面端部からはそれより横幅を小さくし、かつ、段を付けて下方に延びる前面部４１ｂを連設し、さらに、前面部４１ｂの下方端部から壁２に至る隙間調整部４１ａを連設している。また、これらの横方向端部からはこれらとともに異形の空間を形成する側面部４１ｃを連設している。ここで重要なことは、隙間調整部４１ａは、側面視において壁２に近づくにつれ下方に傾斜（図９において右下の方向）させていることであり、具体的には、仮想水平線に対し略１５°の傾斜角をもたせている。この上段カウンタ４２は、例えば、ポリカーボネート樹脂のようなプラスチックにより型造する。そして、適宜手段により壁２に固定する。また、前面部４１ｂには、図示しない給水栓から放出する湯と水の調整レバー４７、４７を取付けている。この上段カウンタ４２は、壁２に固定した結果、通常は、座って身体を洗っている状態の入浴者の目線付近の高さに位置する。
【００５１】
下段カウンタ４２は、従来技術で説明したカウンタと実質的に同様のものであり、上面に浴室備品等を載置する載置部１０を有しており、そして、壁２に固定されている。下段カウンタ４２も、例えば、人造大理石にて型造する。
【００５２】
カバー取付具４４は、後述する化粧カバー４３を取付けるためのものであり、例えば、ポリカーボネート樹脂のようなプラスチックにより型造される。具体的には、化粧カバー４３を取付けるためにねじ孔４５を設けた縦片４４ａと、壁２に固定するために所定の孔を設けた横片４４ｂと、により大略Ｌ字状をなしている。縦片４４ａ及び横片４４ｂの高さは、上段カウンタ４１と下段カウンタ４２とを壁２に固定した際にできる壁２面上の最小間隔より小さくしており、縦片４４ａの横幅は壁面から前面部４１ｂまでの長さ（深さ）より小さくしている。
【００５３】
化粧カバー４３は、下段カウンタ４２との間の配管を隠ものであり、例えば、ポリカーボネート樹脂のようなプラスチックにより型造される。具体的には、カバー取付具４４に、前後方向に移動自在となるようねじ孔４５を基準にして所定の前後方向への移動を可能とする所定の長さをもった長穴４６を有した対向片４３ａと、なめらかに内方に湾曲した連結片４３ｂと、により大略コ字状をなしている。そして、長穴４６は、化粧カバー４３を取付具４３に取付ける際は、取付具４４の縦片４４ａのねじ孔４５と化粧カバー４３の対向片４３ａの長孔４６とを重合させ、所定の前後方向位置においてビス等の固定具２３にて取付ける。ここで重要なことは、対向片４３ａの上端と、連結片４３ｂの上端と、は、側面視において壁２に近づくにつれ下方に傾斜（図９において右下の方向）させていることであり、具体的には、隙間調整部４１ａに対応させ、仮想水平線に対し略１５°の傾斜角をもたせている。その結果、対向片４３ａの上端と連結片４３ｂ上端とは、隙間調整部４１ａとに密接するようになる。また、対向片４３ａの下端と連結片４３ｂ下端は、下段カウンタ４２の載置部１０に密接するようにしている。そして、対向片４３ａの壁側の高さは、上段カウンタ４１と下段カウンタ４２とを壁２に固定した際にできる壁２面上の最小の間隔より同じ、または、大きくなしている。対向片４３ａの横幅は、前面部４１ｂと壁２の間隔より小さく、また、連結片４３ｂの横幅は、隙間調整部４１ａ横幅と同等の大きさで、かつ、対向片４３ａと連結片４３ｂは、下段カウンタ４２の載置部１０に載置できるようになっている。
【００５４】
このものは、例えば、化粧カバー４３をカバー取付具４４に取付ける際に、カバー取付具４４が壁２から最も離れる位置にしてカバー取付具４４に取付けると、上段カウンタ４１と下段カウンタ４２とを壁２に固定した際にできる両者の間隔が最小になり、また、逆に、カバー取付具４４が壁２に最も近い位置にしてカバー取付具４４に取付けると、化粧カバー４３をカバー取付具４４に取付けると、上段カウンタ４１と下段カウンタ４２とを壁２に固定した際にできる両者の間隔が最大になる。
【００５５】
すなわち、上段カウンタ４１と下段カウンタ４２の間隔が、最小と最大の間であれば、化粧カバー４３は、上段カウンタ４１の隙間調整部４１ａ及び下端カウンタ４２との間に隙間を生じることなく取付けることができる。
【００５６】
なお、化粧カバー４３をカバー取付具４４に取付ける際は、化粧カバー４３の対向片４３ａが、取付具４４の縦片４４ａの内側になるようにすれば、見栄えがよくなる。さらに、カバー取付具４４の縦片４４ａが、長穴４６がを覆い隠すように取付ければ、より、見栄えがよくなるとともに水が長穴４６を通して内部に侵入しにくくなる。
【００５７】
【発明の効果】
請求項１記載の発明にあっては、壁からカウンタの端部までの出代が小さくなるので洗い場が広くなる。
【００５８】
請求項２記載の発明にあっては、請求項１の効果に加え、カウンタと壁を取付部で壁に固定できるためカウンタがより安定させられる。
【００５９】
請求項３記載の発明にあっては、請求項１の効果に加え、カウンタで使用した水の多くを水受け部材に流れ込ますことができる。
【００６０】
請求項４記載の発明にあっては、請求項３の効果に加え、見栄えがよくなる。
【００６１】
請求項５記載の発明にあっては、請求項４の効果に加え、カウンタの加工が容易になる。
【図面の簡単な説明】
【図１】第１の実施形態の側面の断面図である。
【図２】同上の図１の上面図である。
【図３】同上の図１の正面図である。
【図４】同上の取付部の拡大側面断面図である。
【図５】第２の実施形態の側面の断面図である。
【図６】同上の図５の上面図である。
【図７】同上の図５の正面図である。
【図８】２段カウンタを有する浴室構造の正面図である。
【図９】同上の図８におけるＡ―Ａの断面図である。
【図１０】同上の図８におけるＢ―Ｂの断面図である。
【図１１】同上の化粧カバー及びカバー取付け具の分解斜視図である。
【図１２】従来の浴室構造の側面の断面図である。
【図１３】同上のカウンタの正面図である。
【図１４】同上のカウンタの上面図である。
【図１５】別の従来の浴室構造を示す斜視図である。
【符号の説明】
１      カウンタ
２      壁
３      開口
４      水受け部材
１０    載置部
１１    側壁部
１２    取付部
１３    前垂れ部
Ｕ      上方室
Ｄ      下方室
【図１】
2004232190.tif 000003
【図２】
2004232190.tif 000004
【図３】
2004232190.tif 000005
【図４】
2004232190.tif 000006
【図５】
2004232190.tif 000007
【図６】
2004232190.tif 000008
【図７】
2004232190.tif 000009
【図８】
2004232190.tif 000010
【図９】
2004232190.tif 000011
【図１０】
2004232190.tif 000012
【図１１】
2004232190.tif 000013
【図１２】
2004232190.tif 000014
【図１３】
2004232190.tif 000015
【図１４】
2004232190.tif 000016
【図１５】
2004232190.tif 000017